(57)【特許請求の範囲】
【請求項１】
人の生体情報を電気信号に変換するバイオメトリクスセンサと、
このバイオメトリクスセンサの出力を磁気信号に変換する信号変換装置と、
この信号変換装置の出力に基づいて磁界の変化による信号を発生する磁気発生装置と、
前記バイオメトリクスセンサと前記信号変換装置と前記磁気発生装置の各々の動作を制御する制御装置と、
前記バイオメトリクスセンサと前記信号変換装置と前記磁気発生装置と前記制御装置の各々に電力を供給する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項２】
人の生体情報を電気信号に変換するバイオメトリクスセンサと、
個人の生態情報を認証のための登録データとして記憶する記憶装置と、
前記バイオメトリクスセンサの出力と前記記憶装置の出力とを切り替えて出力するセレクタと、
前記セレクタの出力を磁気信号に変換する信号変換装置と、
前記信号変換装置の出力に基づいて磁界の変化による信号を発生する磁気発生装置と、
前記バイオメトリクスセンサと前記記憶装置と前記セレクタと前記信号変換装置と前記磁気発生装置の各々の動作を制御する制御装置と、
前記バイオメトリクスセンサと前記記憶装置と前記セレクタと前記信号変換装置と前記磁気発生装置と前記制御装置の各々に電力を供給する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項３】
人の生体情報を電気信号に変換するバイオメトリクスセンサと、
アクセス権の管理を行う計算機が発生する磁界の変化による信号を読み取る磁気読取装置と、
前記バイオメトリクスセンサの出力と、前記計算機に設けられ、個人の生体情報を認証のための登録データとして記憶する記憶装置の出力とを比較認証する演算処理を行う認証装置と、
前記磁気読取装置からの磁気信号を電気信号に変換するとともに、前記認証装置からの電気信号を磁気信号に変換するとともに、前記認証装置からの電気信号を磁気信号に変換する信号変換装置と、
前記信号変換装置の出力に基づいて磁界の変化による信号を発生する磁気発生装置と、
前記バイオメトリクスセンサと前記磁気読取装置と前記認証装置と前記信号変換装置と前記磁気発生装置の各々の動作を制御する制御装置と、
前記バイオメトリクスセンサと前記磁気読取装置と前記認証装置と前記信号変換装置と前記磁気発生装置と前記制御装置の各々に電力を供給する電源と、を具備する認証用端末であって、
前記計算機に装備されるフロッピーディスクドライブを入出力インタフェースとし、前記認証用端末の磁気読取装置は、該フロッピーディスクドライブを介して前記計算機が発生する磁界の変化による信号を読み取ることを特徴とする認証用端末。
【請求項４】
人の生体情報を電気信号に変換するバイオメトリクスセンサと、
個人の生態情報を認証のための登録データとして記憶する記憶装置と、
前記バイオメトリクスセンサの出力と前記記憶装置の出力とを切り替えて出力するセレクタと、
前記バイオメトリクスセンサの出力と前記記憶装置の出力とを比較認証する演算処理を行う認証装置と、
この認証装置からの電気信号を磁気信号に変換する信号変換装置と、
この信号変換装置の出力に基づいて磁界の変化による信号を発生する磁気発生装置と、
前記バイオメトリクスセンサと前記記憶装置と前記セレクタと前記認証装置と前記信号変換装置と前記磁気発生装置の各々の動作を制御する制御装置と、
前記バイオメトリクスセンサと前記記憶装置と前記セレクタと前記認証装置と前記信号変換装置と前記磁気発生装置と前記制御装置の各々に電力を供給する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項５】
人の生体情報を電気信号に変換するバイオメトリクスセンサと、
このバイオメトリクスセンサからの出力を記憶する一時記憶装置と、
前記バイオメトリクスセンサに対するセンシングの開始の動作を電気信号に変換するスイッチと、
前記バイオメトリクスセンサによって個人の生体情報を電気信号に変換したことの完了を表示する表示装置と、
前記一時記憶装置の出力を磁気信号に変換する信号変換装置と、
この信号変換装置の出力に基づいて磁界の変化による信号を発生する磁気発生装置と、
前記バイオメトリクスセンサと前記一時記憶装置と前記スイッチと前記表示装置と前記信号変換装置と前記磁気発生装置の各々の動作を制御する制御装置と、
前記バイオメトリクスセンサと前記一時記憶装置と前記スイッチと前記表示装置と前記信号変換装置と前記磁気発生装置と前記制御装置の各々に電力を供給する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項６】
人の生体情報を電気信号に変換するバイオメトリクスセンサと、
このバイオメトリクスセンサからの出力を記憶する一時記憶装置と、
前記バイオメトリクスセンサに対するセンシングの開始の動作を電気信号に変換するスイッチと、
前記バイオメトリクスセンサによって個人の生体情報を電気信号に変換したことの完了を表示する表示装置と、
個人の生体情報を認証のための登録データとして記憶する記憶装置と、
前記一時記憶装置の出力と前記記憶装置の出力とを切り替えて出力するセレクタと、
このセレクタの出力を磁気信号に変換する信号変換装置と、
この信号変換装置の出力に基づいて磁界の変化による信号を発生する磁気発生装置と、
前記バイオメトリクスセンサと前記一時記憶装置と前記スイッチと前記表示装置と前記記憶装置と前記セレクタと前記信号変換装置と磁気発生装置の各々の動作を制御する制御装置と、
バイオメトリクスセンサと前記一時記憶装置と前記スイッチと前記表示装置と前記記憶装置と前記セレクタと前記信号変換装置と前記磁気発生装置と前記制御装置の各々に電力を供給する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項７】
人の生体情報を電気信号に変換するバイオメトリクスセンサと、
このバイオメトリクスセンサに対するセンシングの開始の動作を電気信号に変換するスイッチと、
前記バイオメトリクスセンサによって個人の生体情報を電気信号に変換したことの完了を表示する表示装置と、
アクセス権の管理を行う計算機が発生する磁界の変化による信号を読み取る磁気読取装置と、
前記バイオメトリクスセンサの出力と、前記計算機に設けられ、個人の生体情報を認証のための登録データとして記憶する記憶装置の出力とを比較認証する演算処理を行う認証装置と、
前記磁気読取装置からの磁気信号を電気信号に変換するとともに、前記認証装置からの電気信号を磁気信号に変換する信号変換装置と、
前記信号変換装置の出力に基づいて磁界の変化による信号を発生する磁気発生装置と、
前記バイオメトリクスセンサと前記スイッチと前記表示装置と前記磁気読取装置と前記認証装置と前記信号変換装置と磁気発生装置の各々の動作を制御する制御装置と、
前記バイオメトリクスセンサと前記スイッチと前記表示装置と前記磁気読取装置と前記認証装置と前記信号変換装置と磁気発生装置と前記制御装置の各々に電力を供給する電源と、を具備する認証用端末であって、
前記計算機に装備されるフロッピーディスクドライブを入出力インタフェースとし、前記認証用端末の磁気読取装置は、該フロッピーディスクドライブを介して前記計算機が発生する磁界の変化による信号を読み取ることを特徴とする認証用端末。
【請求項８】
人の生体情報を電気信号に変換するバイオメトリクスセンサと、
このバイオメトリクスセンサに対するセンシングの開始の動作を電気信号に変換するスイッチと、
個人の生態情報を認証のための登録データとして記憶する記憶手段と、
前記バイオメトリクスセンサの出力と前記記憶装置の出力とを切り替えて出力するセレクタと、
前記バイオメトリクスセンサの出力と前記記憶装置の出力とを比較認証する演算処理を行う認証装置と、
前記認証装置からの電気信号を磁気信号に変換する信号変換装置と、
前記信号変換装置の出力に基づいて磁界の変化による信号を発生する磁気発生装置と、
前記認証装置による比較認証の完了を表示する表示装置と、
前記バイオメトリクスセンサと前記スイッチと前記記憶装置と前記セレクタと前記認証装置と前記信号変換装置と前記磁気発生装置と前記表示装置の各々の動作を制御する制御装置と、
前記バイオメトリクスセンサと前記スイッチと前記記憶装置と前記セレクタと前記認証装置と前記信号変換装置と前記磁気発生装置と前記表示装置と前記制御装置の各々の動作を制御する電源と、を具備する認証用端末であって、
計算機に装備されるフロッピーディスクドライブを入出力インタフェースとし、該計算機は、該フロッピーディスクドライブを介して前記磁気発生装置で発生された信号を読み取ることを特徴とする認証用端末。
【請求項９】
前記電源が、二次電池と、この二次電池を充電するための発電装置とからなることを特徴とする請求項１〜８のいずれか１つに記載の認証用端末。
【請求項１０】
前記バイオメトリクスセンサが、指紋センサであることを特徴とする請求項１〜９のいずれか１つに記載の認証用端末。
【請求項１１】
前記記憶装置が、ＲＡＭまたは不揮発性メモリであることを特徴とする請求項２，４，６，８のいずれか１つに記載の認証用端末。
【請求項１２】
前記一時記憶装置が、ＲＡＭまたは不揮発性メモリであることを特徴とする請求項５，６のいずれか１つに記載の認証用端末。
【請求項１３】
前記認証装置が、プロセッサとＲＡＭからなることを特徴とする請求項３，４，７，８のいずれか１つに記載の認証用端末。
【請求項１４】
人の生体情報を磁界の変化による信号に変換する認証用端末と、
この認証用端末が発生する磁界の変化による信号を読み取る磁気読取装置と、
この磁気読取装置の出力を電気信号に変換する信号変換装置と、
個人の生体情報を認証のための登録データとして記憶する記憶装置と、
前記信号変換装置からの出力と前記記憶装置からの信号を比較認証する認証装置とを備えた電子計算機とから構成され、前記磁気読取装置と前記信号変換装置とは、前記計算機に装備されるフロッピーディスクドライブを構成し、
前記認証用端末が、請求項１〜１３のいずれか１つに記載の構成を備えていることを特徴とする認証システム。
【発明の詳細な説明】
【０００１】
【発明の属する技術分野】
本発明は認証用端末及び認証システムに関するものである。
【０００２】
【従来の技術】
現在、パーソナルコンピュータを始めとする電子計算機の本人認証手段として、パスワードを用いる方法、ＩＣカードなどを鍵代わりとして用いる方法がある。
【０００３】
パスワードを用いる方法では、入力装置から入力するパスワードによって認証する。この認証方法の問題点は、パスワードを解読された時に、なりすましによる不正の危険性が高いことである。パスワードは定期的に更新することやシステムごとに使い分けることが必要であり、これらが利用者にパスワードの忘却や認証時の混乱をもたらす。
【０００４】
ＩＣカードを用いる方法では、カードに記憶したＩＤなどのデータを計算機に接続した専用のリーダーライタで読み取って認証する。この方法では、カードの紛失、盗難といった問題がある。さらに、リーダーライタをそれぞれの計算機に対して一台ずつ設置する必要があるため、システム導入時においてコストがかかる。
【０００５】
これらの方法に対して今日、新たな認証手段としてバイオメトリクスが注目されている。バイオメトリクスによる認証とは指紋、声紋、虹彩など個人特有の身体的特徴を生かした認証方法であり、解読、忘却、紛失、盗難の不安がないことが特徴である。
【０００６】
この方法を用いた従来の認証システムの一つの例として、指紋認証を用いたシステムの概略図を図２１に示す。図２１のように計算機２０４に標準装備されているＩ／Ｏポートに、バイオメトリクスセンサ（ここでは指紋センサ）１１を搭載した認証用端末３００を接続して、認証システムを構築する。
【０００７】
この認証システムの構成を図２２に示す。認証用端末３００のバイオメトリクスセンサ１１で個人の指紋を読み取り、読み取った指紋データを信号変換装置２５でＩ／Ｏデータポート８０から送信可能な信号方式に変調して、計算機２０４のＩ／Ｏポート８１へ送信する。読み取られた指紋データは信号変換装置２６で所定の信号方式に変換された後、プロセッサとＲＡＭから構成される認証装置５４に送られる。認証装置５４は、受信した指紋データと、あらかじめ記憶装置６２に記憶しておいた登録データとを比較認証する。
【０００８】
認証用端末３００内の各装置は制御装置４０９からの制御信号によって制御される。認証用端末３００は、計算機２０４からＩ／Ｏポートを通して電力を得る。もしくは電池などの電源から直接電力を得ることで動作する。図２２には計算機２０４の電源４３からＩ／Ｏデータポート８１，８０を通して電力を得る場合を示す。
【０００９】
また、図２３は、従来の認証システムの他の例として、ＰＣＭＣＩＡのインターフェースを備えたノート型ＰＣ２０５にＰＣカード型のインタフェースをもつ認証用端末３０１を装着してなる認証システムの概略図である。このシステムでは、認証用端末３０１が小型であるために、携帯性に優れているという特徴がある。
【００１０】
【発明が解決しようとする課題】
しかしながら、図２１及び図２２に示す認証システムにおいて、多人数で共有している複数台の計算機のセキュリティを向上させようとした場合、利用者はそれぞれの計算機で認証を行うため、計算機一台一台に認証用端末３００を設置する必要がある。したがって、認証用端末によって設置スペースが取られるという問題や、導入費用がかかるという問題がある。さらに、システム管理者の立場から考えると、個人の指紋データを認証システム側に登録する必要があるため、すべての計算機にデータを登録する設定作業の手間がかかるという問題がある。さらに、登録データや認証アルゴリズムを盗難、改ざんから保護しなければならないという問題がある。計算機の処理量に着目して考えると、登録したデータベースから個人の登録情報を検索して、演算処理量の大きい指紋認証を行うことによる負荷がかかるという問題がある。
【００１１】
また、図２３に示す認証用端末をデスクトップＰＣに応用することも考えられるが、デスクトップＰＣには概してＰＣカードスロットが標準装備されていない。したがって、ＰＣＭＣＩＡ型の認証用端末を用いたシステムは汎用性に劣るという欠点がある。
【００１２】
このように、従来のバイオメトリクスによる認証用端末を用いた認証システムは、携帯性と汎用性を同時に兼ね備えた認証用端末と、そのような認証用端末を用いた認証システムを提供することができなかった。
【００１３】
本発明はこのような課題に着目してなされたものであり、その目的とするところは、携帯性と汎用性を同時に兼ね備えた認証用端末と、そのような認証用端末を用いた認証システムを提供することにある。
【００１４】
【課題を解決するための手段】
上記の目的を達成するために、本発明の第１の態様は、人の生体情報を電気信号に変換するバイオメトリクスセンサと、このバイオメトリクスセンサの出力を磁気信号に変換する信号変換装置と、この信号変換装置の出力に基づいて磁界の変化による信号を発生する磁気発生装置と、前記バイオメトリクスセンサと前記信号変換装置と前記磁気発生装置の各々の動作を制御する制御装置と、前記バイオメトリクスセンサと前記信号変換装置と前記磁気発生装置と前記制御装置の各々に電力を供給する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００１５】
また、本発明の第２の態様は、人の生体情報を電気信号に変換するバイオメトリクスセンサと、個人の生態情報を認証のための登録データとして記憶する記憶装置と、前記バイオメトリクスセンサの出力と前記記憶装置の出力とを切り替えて出力するセレクタと、前記セレクタの出力を磁気信号に変換する信号変換装置と、前記信号変換装置の出力に基づいて磁界の変化による信号を発生する磁気発生装置と、前記バイオメトリクスセンサと前記記憶装置と前記セレクタと前記信号変換装置と前記磁気発生装置の各々の動作を制御する制御装置と、前記バイオメトリクスセンサと前記記憶装置と前記セレクタと前記信号変換装置と前記磁気発生装置と前記制御装置の各々に電力を供給する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００１６】
また、本発明の第３の態様は、人の生体情報を電気信号に変換するバイオメトリクスセンサと、アクセス権の管理を行う計算機が発生する磁界の変化による信号を読み取る磁気読取装置と、前記バイオメトリクスセンサの出力と、前記計算機に設けられ、個人の生体情報を認証のための登録データとして記憶する記憶装置の出力とを比較認証する演算処理を行う認証装置と、前記磁気読取装置からの磁気信号を電気信号に変換するとともに、前記認証装置からの電気信号を磁気信号に変換するとともに、前記認証装置からの電気信号を磁気信号に変換する信号変換装置と、前記信号変換装置の出力に基づいて磁界の変化による信号を発生する磁気発生装置と、前記バイオメトリクスセンサと前記磁気読取装置と前記認証装置と前記信号変換装置と前記磁気発生装置の各々の動作を制御する制御装置と、前記バイオメトリクスセンサと前記磁気読取装置と前記認証装置と前記信号変換装置と前記磁気発生装置と前記制御装置の各々に電力を供給する電源と、を具備する認証用端末であって、計算機に標準装備されるフロッピーディスクドライブを入出力インタフェースとし、前記認証用端末の磁気読取装置は、該フロッピーディスクドライブを介して前記計算機が発生する磁界の変化による信号を読み取る。
【００１７】
また、本発明の第４の態様は、人の生体情報を電気信号に変換するバイオメトリクスセンサと、個人の生態情報を認証のための登録データとして記憶する記憶装置と、前記バイオメトリクスセンサの出力と前記記憶装置の出力とを切り替えて出力するセレクタと、前記バイオメトリクスセンサの出力と前記記憶装置の出力とを比較認証する演算処理を行う認証装置と、この認証装置からの電気信号を磁気信号に変換する信号変換装置と、この信号変換装置の出力に基づいて磁界の変化による信号を発生する磁気発生装置と、前記バイオメトリクスセンサと前記記憶装置と前記セレクタと前記認証装置と前記信号変換装置と前記磁気発生装置の各々の動作を制御する制御装置と、前記バイオメトリクスセンサと前記記憶装置と前記セレクタと前記認証装置と前記信号変換装置と前記磁気発生装置と前記制御装置の各々に電力を供給する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００１８】
また、本発明の第５の態様は、人の生体情報を電気信号に変換するバイオメトリクスセンサと、このバイオメトリクスセンサからの出力を記憶する一時記憶装置と、前記バイオメトリクスセンサに対するセンシングの開始の動作を電気信号に変換するスイッチと、前記バイオメトリクスセンサによって個人の生体情報を電気信号に変換したことの完了を表示する表示装置と、前記一時記憶装置の出力を磁気信号に変換する信号変換装置と、この信号変換装置の出力に基づいて磁界の変化による信号を発生する磁気発生装置と、前記バイオメトリクスセンサと前記一時記憶装置と前記スイッチと前記表示装置と前記信号変換装置と前記磁気発生装置の各々の動作を制御する制御装置と、前記バイオメトリクスセンサと前記一時記憶装置と前記スイッチと前記表示装置と前記信号変換装置と前記磁気発生装置と前記制御装置の各々に電力を供給する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００１９】
また、本発明の第６の態様は、人の生体情報を電気信号に変換するバイオメトリクスセンサと、このバイオメトリクスセンサからの出力を記憶する一時記憶装置と、前記バイオメトリクスセンサに対するセンシングの開始の動作を電気信号に変換するスイッチと、前記バイオメトリクスセンサによって個人の生体情報を電気信号に変換したことの完了を表示する表示装置と、個人の生体情報を認証のための登録データとして記憶する記憶装置と、前記一時記憶装置の出力と前記記憶装置の出力とを切り替えて出力するセレクタと、このセレクタの出力を磁気信号に変換する信号変換装置と、この信号変換装置の出力に基づいて磁界の変化による信号を発生する磁気発生装置と、前記バイオメトリクスセンサと前記一時記憶装置と前記スイッチと前記表示装置と前記記憶装置と前記セレクタと前記信号変換装置と磁気発生装置の各々の動作を制御する制御装置と、バイオメトリクスセンサと前記一時記憶装置と前記スイッチと前記表示装置と前記記憶装置と前記セレクタと前記信号変換装置と前記磁気発生装置と前記制御装置の各々に電力を供給する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００２０】
また、本発明の第７の態様は、人の生体情報を電気信号に変換するバイオメトリクスセンサと、このバイオメトリクスセンサに対するセンシングの開始の動作を電気信号に変換するスイッチと、前記バイオメトリクスセンサによって個人の生体情報を電気信号に変換したことの完了を表示する表示装置と、アクセス権の管理を行う計算機が発生する磁界の変化による信号を読み取る磁気読取装置と、前記バイオメトリクスセンサの出力と、前記計算機に設けられ、個人の生体情報を認証のための登録データとして記憶する記憶装置の出力とを比較認証する演算処理を行う認証装置と、前記磁気読取装置からの磁気信号を電気信号に変換するとともに、前記認証装置からの電気信号を磁気信号に変換する信号変換装置と、前記信号変換装置の出力に基づいて磁界の変化による信号を発生する磁気発生装置と、前記バイオメトリクスセンサと前記スイッチと前記表示装置と前記磁気読取装置と前記認証装置と前記信号変換装置と磁気発生装置の各々の動作を制御する制御装置と、前記バイオメトリクスセンサと前記スイッチと前記表示装置と前記磁気読取装置と前記認証装置と前記信号変換装置と磁気発生装置と前記制御装置の各々に電力を供給する電源と、を具備する認証用端末であって、前記計算機に装備されるフロッピーディスクドライブを入出力インタフェースとし、前記認証用端末の磁気読取装置は、該フロッピーディスクドライブを介して前記計算機が発生する磁界の変化による信号を読み取る。
【００２１】
また、本発明の第８の態様は、人の生体情報を電気信号に変換するバイオメトリクスセンサと、このバイオメトリクスセンサに対するセンシングの開始の動作を電気信号に変換するスイッチと、個人の生態情報を認証のための登録データとして記憶する記憶手段と、前記バイオメトリクスセンサの出力と前記記憶装置の出力とを切り替えて出力するセレクタと、前記バイオメトリクスセンサの出力と前記記憶装置の出力とを比較認証する演算処理を行う認証装置と、前記認証装置からの電気信号を磁気信号に変換する信号変換装置と、前記信号変換装置の出力に基づいて磁界の変化による信号を発生する磁気発生装置と、前記認証装置による比較認証の完了を表示する表示装置と、前記バイオメトリクスセンサと前記スイッチと前記記憶装置と前記セレクタと前記認証装置と前記信号変換装置と前記磁気発生装置と前記表示装置の各々の動作を制御する制御装置と、前記バイオメトリクスセンサと前記スイッチと前記記憶装置と前記セレクタと前記認証装置と前記信号変換装置と前記磁気発生装置と前記表示装置と前記制御装置の各々の動作を制御する電源と、を具備する認証用端末であって、計算機に装備されるフロッピーディスクドライブを入出力インタフェースとし、該計算機は、該フロッピーディスクドライブを介して前記磁気発生装置で発生された信号を読み取る。
【００２２】
また、本発明の第９の態様は、第１〜第８のいずれか１つの態様において、前記電源が、二次電池と、この二次電池を充電するための発電装置とからなることを特徴とする請求項１〜８のいずれか１つに記載の認証用端末。
【００２３】
また、本発明の第１０の態様は、第１〜第９のいずれか１つの態様において、前記バイオメトリクスセンサが、指紋センサである。
【００２４】
また、本発明の第１１の態様は、第２、第４、第６、第８のいずれか１つの態様において、前記記憶装置が、ＲＡＭまたは不揮発性メモリである。
【００２５】
また、本発明の第１２の態様は、第５または第６のいずれか１つの態様において、前記一時記憶装置が、ＲＡＭまたは不揮発性メモリである。
【００２６】
また、本発明の第１３の態様は、第３、第４、第７、第８のいずれか１つの態様において、前記認証装置が、プロセッサとＲＡＭからなる。
【００２７】
また、本発明の第１４の態様は、人の生体情報を磁界の変化による信号に変換する認証用端末と、この認証用端末が発生する磁界の変化による信号を読み取る磁気読取装置と、この磁気読取装置の出力を電気信号に変換する信号変換装置と、個人の生体情報を認証のための登録データとして記憶する記憶装置と、前記信号変換装置からの出力と前記記憶装置からの信号を比較認証する認証装置とを備えた電子計算機とから構成され、前記磁気読取装置と前記信号変換装置とは、前記計算機に標準装備されるフロッピーディスクドライブを構成し、前記認証用端末が、第１〜第１３のいずれか１つの態様の構成を備えている。
【００２８】
また、第１５の発明に係る認証システムは、第１４の発明において、前記電子計算機の前記磁気読取装置と、前記電子計算機の前記信号変換装置が、フロッピーディスクドライブである。
【００２９】
【発明の実施の形態】
以下、図面を参照して本発明の実施形態を詳細に説明する。
【００３０】
（第１実施形態）
本発明の第一の実施形態における概略図を図１に示す。この認証システムは新規の認証用端末１００と既存の電子計算機（以下、単に計算機と呼ぶ）２００で構成される。ここでは認証用端末１００をフロッピーディスクドライブ２２０に挿入して、計算機２００内で認証を行う。従来技術との違いは、認証用端末１００に小型薄型のバイオメトリクスセンサ１０が搭載されていることと、フロッピーディスクドライブ２２０をインターフェイスとすることである。さらに、このような認証用端末１００を用いた認証システムが実現できることである。
【００３１】
認証用端末１００と計算機２００とからなる認証システムの構成ブロックを図２に示す。図２のように認証用端末１００は、指紋、声紋、虹彩等の生体情報を感知して電気信号に変換するバイオメトリクスセンサ１０、センサ１０からの電気信号を磁気信号に変換して発信するために必要な形式に変調する信号変換装置２０、磁界の変化による信号を発生する磁気発生装置３５，これらの装置に電力を供給する電源４０、これら各装置の動作を制御する制御装置４００とからなる。
【００３２】
以下、実施形態では、バイオメトリクスセンサ１０を指紋センサとした場合について説明する。小型薄型の指紋センサ１０は、特願平１０−３７０９３４号公報に記載されているＬＳＩ製造技術を用いた容量検出形センサの技術によって実現できる。容量検出形のセンサは、ＬＳＩチップ上に２次元に配列された小さなセンスユニットの電極と絶縁膜を介して触れた人間の指の皮膚との間に形成される静電容量を検出して、指紋の凹凸パターンを感知することができる。信号変換装置２０はフロッピーディスクドライブ内で電気−磁気変換を行う変調回路などで実現できる。磁気発生装置３５は既存の磁気ヘッドなどで実現できる。電源は小型薄型のリチウム電池などで実現できる。制御装置４００は、ＬＳＩ製造技術をもちいたコントローラなどによって実現できる。
【００３３】
一方、計算機２００は、認証用端末１００からの磁界を磁気信号に変換する磁気読取装置３６、磁気信号を電気信号に変調する信号変換装置２１、指紋の初期登録データを収める記憶装置６０、認証用端末１００から受信したデータと記憶装置６０の登録データとの照合・認証処理を行う認証装置５０を具備している。計算機２００は既存のものを想定しているため、信号変換装置２１と磁気発生装置３６の機能はフロッピーディスクドライブが、認証装置５０の機能はプロセッサとＲＡＭが、記憶装置６０の機能は、ハードディスクドライブなどが果たす。
【００３４】
図３に認証用端末１００の形状を示す。認証用端末１００は、フロッピーディスクドライブに挿入された時にセンサ部分だけが外に突出する形状である。
【００３５】
図２の構成要素によって行う認証の動作を図４に示す。まず、認証用端末１００を計算機２００のフロッピーディスクドライブに挿入して（ステップＳ１）、計算機２００にあらかじめインストールしておいた本人認証プログラムを起動する（ステップＳ２）。次に本人認証プログラム中で、認証開始をうながす制御信号を計算機２００から認証用端末１００に発信する。この信号を受けてバイオメトリクスセンサとしての指紋センサ１０によるセンシングを開始する（ステップＳ３）。センシングした指紋データは信号変換装置２０が電気信号から磁気信号に変調して（ステップＳ４）、磁気発生装置３５が磁界を発生して（ステップＳ５）計算機２００へ送信する。計算機２００では、磁気読取装置３６で磁界を磁気信号に変換して（ステップＳ６）、信号変換装置２１で磁気信号を読み取り可能な電気信号に変調して（ステップＳ７）認証装置５０に送信する。認証装置５０では記憶装置６０に記憶した登録データと信号変換装置２１からの信号を比較照合して（ステップＳ８）、認証結果により計算機２００に対するアクセスの可否を決定する（ステップＳ９）。
【００３６】
第１実施形態に示した認証システムでは、認証用端末１００と計算機２００の間で、指紋データを磁界の変化による信号に変換して通信することによって、既存のフロッピーディスクドライブをインターフェイスとした認証システムが実現できる。一般に、計算機はフロッピーディスクドライブを搭載しているため、この認証用端末を用いた本認証システムは、汎用性が高い。さらに、認証用端末は図３に示した形状であるため、設置スペースを必要とせず、携帯性にも優れている。
【００３７】
（第２実施形態）
本発明の第２の実施形態における構成ブロックを図５に示す。第１実施形態との違いは認証用端末１０１の内部に指紋の登録データを記憶しておくための記憶装置６１と出力信号を切り替えるセレクタ７０を搭載している点である。
【００３８】
記憶装置６１は、ＬＳＩ製造技術を用いた小型薄型のＲＡＭ、不揮発性メモリなどによって実現できる。セレクタ７０は制御装置４０１から受けた信号をもとに、入力切り換えを行う電子回路によって実現できる。
【００３９】
図５に示した構成要素による認証の動作を図６のステップＳ１１〜Ｓ２２に示す。第１実施形態との違いは、認証用端末１０１から計算機２０１に対してセンシングデータだけでなく登録データも送る点と、照合・認証時には計算機２００の認証装置５０のＲＡＭに登録データを一時記憶する点である。なお、ステップＳ１３の処理とステップＳ１９の処理は順不同である。また、ステップＳ１８において認証装置５０には順番に応じて登録データもしくはセンシングデータのどちらかを一時記憶する。
【００４０】
認証用端末の形状は、第１実施形態の場合と同様である。
【００４１】
本実施形態では、記憶装置６１に指紋の登録データを記憶しておくことで、計算機２０１に個人情報である指紋データベースを構築する必要がなくなる。これによって、プライバシーが保護できる。さらに、認証時に登録データを計算機２０１のデータベースから検索する必要がない。また、記憶装置６１にＲＡＭを用いた場合、低コストで認証用端末１０１を実現できる。記憶装置６１に不揮発性メモリを用いた場合、電力供給が停止しても記憶装置内の情報は保存できる。
【００４２】
（第３実施形態）
本発明の第３の実施形態における構成ブロックを図７に示す。第１実施形態との違いは、認証用端末１０２の内部に照合・認証を行う認証装置５１と磁界を磁気信号に変換する磁気読取装置３７を搭載した点である。
【００４３】
認証装置５１は、ＬＳＩ製造技術を用いた小型薄型のプロセッサとＲＡＭによって実現できる。磁気読取装置３７は第１実施形態における磁気読取装置３５の実現手段を用いて実現できる。
【００４４】
図７の構成による認証の動作を図８のステップＳ３１〜Ｓ４５に示す。図８のように照合・認証の演算処理を認証用端末１０２内でおこなう点が第１実施形態とは異なる。ただし、ステップＳ３３の処理とステップＳ３５〜Ｓ３９の処理のどちらを先に行うかは順不同である。これに伴って、ステップＳ３４で認証装置５１に一時記憶しておくデータもセンシングデータもしくは登録データのどちらかとなる。
【００４５】
認証用端末の形状は、第１実施形態の場合と同様である。
【００４６】
本実施形態では、認証用端末１０２内部の認証装置５１を専用ＬＳＩにすることで、認証アルゴリズムが盗難や改ざんから保護できる。さらに、認証を認証用端末内で行うことによって計算機側の演算処理の負荷も小さくなる。
【００４７】
（第４実施形態）
本発明の第４の実施形態における構成ブロックを図９に示す。第１実施形態との違いは、認証用端末１０３の内部に認証装置５１と記憶装置６１とセレクタ７１を搭載したことである。記憶装置６１とセレクタ７１の実現手段は第２実施形態と同様である。認証装置５１の実現手段は第３実施形態と同様である。
【００４８】
図９の構成による認証の動作を図１０のステップＳ５１〜Ｓ６２に示す。記憶装置６１に記憶した登録データを用いて照合・認証の演算処理を認証用端末１０３内部の認証装置５１で行う点が第１実施形態とは異なる。さらに、認証用端末１０３から計算機２０３へ送信するデータは認証結果のみであることも第１実施形態とは異なる。ただし、ステップＳ５３の処理とステップＳ５５の処理は順不同である。これに伴って、ステップＳ５４の処理では順番に応じて登録データもしくはセンシングデータのどちらかを一時記憶する。
【００４９】
認証用端末の形状は、第１実施形態の場合と同様である。
【００５０】
本実施形態では、第２実施形態の効果と第３実施形態の効果がともに得られる。
【００５１】
（第５実施形態）
本発明の第５の実施形態における構成を図１１に示す。第１実施形態との違いは、認証用端末１０４内に指紋センサ１０でセンシングしたデータを一時的に記憶する一時記憶装置６５と、センシングの完了を示す表示装置９０と、センシング開始の動作を電気信号に変換するスイッチ９５を搭載した点である。
【００５２】
一時記憶装置６５は、第２実施形態の記憶装置６１の実現手段を用いて実現できる。表示装置９０は、ＩＣ製造技術を用いた発光ダイオードなどによって実現できる。スイッチ９５は圧電素子などを用いることによって実現できる。
【００５３】
図１１の構成による認証の動作を図１２のステップＳ７１〜Ｓ８５に示す。第２実施形態との違いは、認証用端末１０４のスイッチ９５を押してセンシングを開始する点と、認証用端末１０４をフロッピーディスクドライブに挿入する前に、センシングデータを一時記憶装置６５に一時記憶する点、センシングの完了を表示装置９０で表示する点である。ただし、ステップＳ７７の処理とステップＳ８３の処理は順不同である。したがってステップＳ８２で認証装置５０に一時記憶しておくデータも登録データもしくはセンシングデータのどちらか先に呼び出したデータとなる。
【００５４】
本実施形態では、認証用端末１０４を図１３のようにフロッピーディスクドライブ内に収まる形状にして、携帯性を向上することができる。さらに、発光ダイオードなど小型薄型の表示装置９０を用いることによって、携帯性の高い認証用端末を低コストで実現できる。
【００５５】
（第６実施形態）
本発明の第６の実施形態における構成ブロックを図１４に示す。第２実施形態との違いは、認証用端末１０５内にセンシングしたデータを一時記憶する一時記憶装置６５とセンシングの完了を示す表示装置９０とセンシング開始の動作を電気信号に変換するスイッチ９５を搭載した点である。
【００５６】
ここで、記憶装置６１と一時記憶装置６５は同一の構成を用いることができる。記憶装置６１と一時記憶装置６５を同一にした時の認証用端末１０５の構成は第５実施形態における認証用端末１０４と同様である。
【００５７】
一時記憶装置６５と表示装置９０とスイッチ９５は、それぞれ第５実施形態に示した実現手段を用いて実現できる。
【００５８】
図１４の構成による認証の動作を図１５のステップＳ９１〜Ｓ１０６に示す。第３実施形態との違いは、認証用端末１０５のスイッチ９５を押してセンシングを開始する点と、認証用端末１０５をフロッピーディスクドライブに挿入する前に、センシングデータを一時記憶装置６５に一時記憶する点、さらに、センシングの完了を表示装置９０で表示する点である。ただし、ステップＳ９７の処理とステップＳ１０３の処理は順不同である。よってステップＳ１０２で認証装置５０に一時記憶しておくデータも登録データもしくはセンシングデータのどちらか先に呼び出したデータとなる。
【００５９】
認証用端末の形状は、第５実施形態の場合と同様である。
【００６０】
本実施形態では、第２実施形態の効果と第５実施形態の効果が共に得られる。
【００６１】
（第７実施形態）
本発明の第７の実施形態における構成ブロックを図１６に示す。第３実施形態との違いは、認証用端末１０６内に表示装置９１とスイッチ９５を搭載した点である。表示装置９１とスイッチ９５の実現手段は第５実施形態と同様である。
【００６２】
図１６の構成による認証の動作を図１７のステップＳ１１１〜Ｓ１２６に示す。第３実施形態との違いは、認証用端末１０６のスイッチ９５を押してセンシングを開始する点と、認証用端末１０６をフロッピーディスクドライブに挿入する前に、センシングデータを認証装置５３に一時記憶する点、さらに、センシングの完了を表示装置９１で表示する点である。
【００６３】
認証用端末の形状は、第５実施形態の場合と同様である。
【００６４】
本実施形態では、第３実施形態の効果と第５実施形態の効果が共に得られる。
【００６５】
（第８実施形態）
本発明の第８の実施形態における構成ブロックを図１８に示す。第４実施形態との違いは、認証用端末１０７内に表示装置９１とスイッチ９５を搭載した点である。表示装置９１とスイッチ９５の実現手段は第５実施形態と同様である。
【００６６】
図１８の構成による認証の動作を図１９のステップＳ１３１〜Ｓ１４４に示す。第４実施形態との違いは、認証用端末１０７のスイッチ９５を押してセンシングを開始する点と、認証用端末１０７をフロッピーディスクドライブに挿入する前に、認証用端末１０７内で認証を完了する点、さらに、認証の完了もしくは認証結果を表示装置９１で示す点である。ただし、ステップＳ１３２の処理とステップＳ１３４の処理は順不同である。これに伴って、ステップＳ１３３の処理では、順番に応じて登録データもしくはセンシングデータのどちらかを一時記憶する。
【００６７】
認証用端末の形状は、第５実施形態の場合と同様である。
【００６８】
本実施形態では、第４実施形態の効果と第５実施形態の効果が共に得られる。
【００６９】
（第９実施形態）
本発明の第９の実施形態における構成を図２０に示す。第１実施形態との違いは、認証用端末１０８の電源が小型薄型の二次電池４１と発電装置４２とで構成される点である。発電装置４２が発電した電力を二次電池４１に蓄積する。認証用端末１０８内の各装置へは二次電池４１から電力を供給する。
【００７０】
二次電池４１は、小型薄型のニッケルカドミウム電池、ニッケル水素電池やリチウムイオン電池を用いることで実現できる。発電装置４２は、太陽光発電装置やフロッピーディスクドライブがフロッピーディスクを回転させる駆動力をもちいて発電する装置などによって実現できる。
【００７１】
本実施形態の構成による認証の動作は第１実施形態と同様である。
【００７２】
認証用端末の形状は、第１実施形態の場合と同様である。
【００７３】
本実施形態では、各装置で必要な電力を認証用端末内で発電するため、電池を交換する必要がない。さらに、発電した電力を二次電池で蓄えておくため、各装置に安定した電力を供給することができる。
【００７４】
（第１０実施形態）
本発明の第１０の実施形態は第２実施形態において、認証用端末の電源が、小型薄型の二次電池と発電装置からなる点である。図は容易に類推できるので省略する。
【００７５】
二次電池と発電装置の実現手段は第９実施形態と同様である。
【００７６】
本実施形態の構成による認証の動作は第２実施形態と同様である。
【００７７】
認証用端末の形状は、第１実施形態の場合と同様である。
【００７８】
本実施形態では、第２実施形態と第９実施形態の効果が共に得られる。
【００７９】
（第１１実施形態）
本発明の第１１の実施形態は第３実施形態において、認証用端末の電源が、小型薄型の二次電池と発電装置からなる点である。図は容易に類推できるので省略する。
【００８０】
二次電池と発電装置の実現手段は第９実施形態と同様である。
【００８１】
本実施形態の構成による認証の動作は第３実施形態と同様である。
【００８２】
認証用端末の形状は、第１実施形態の場合と同様である。
【００８３】
本実施形態では、第３実施形態と第９実施形態の効果が共に得られる。
【００８４】
（第１２実施形態）
本発明の第１２の実施形態は第４実施形態において、認証用端末の電源が、小型薄型の二次電池と発電装置からなる点である。図は容易に類推できるので省略する。
【００８５】
二次電池と発電装置の実現手段は第９実施形態と同様である。
【００８６】
本実施形態の構成による認証の動作は第４実施形態と同様である。
【００８７】
認証用端末の形状は、第１実施形態の場合と同様である。
【００８８】
本実施形態では、第４実施形態と第９実施形態の効果が共に得られる。
【００８９】
（第１３実施形態）
本発明の第１３の実施形態は第５実施形態において、認証用端末の電源が、小型薄型の二次電池と発電装置からなる点である。図は容易に類推できるので省略する。
【００９０】
二次電池と発電装置の実現手段は第９実施形態と同様である。
【００９１】
本実施形態の構成による認証の動作は第５実施形態と同様である。
【００９２】
認証用端末の形状は、第５実施形態の場合と同様である。
【００９３】
本実施形態では、第５実施形態と第９実施形態の効果が共に得られる。
【００９４】
（第１４実施形態）
本発明の第１４の実施形態は第６実施形態において、認証用端末の電源が、小型薄型の二次電池と発電装置からなる点である。図は容易に類推できるので省略する。
【００９５】
二次電池と発電装置の実現手段は第９実施形態と同様である。
【００９６】
本実施形態の構成による認証の動作は第６実施形態と同様である。
【００９７】
認証用端末の形状は、第５実施形態の場合と同様である。
【００９８】
本実施形態では、第６実施形態と第９実施形態の効果が共に得られる。
【００９９】
（第１５実施形態）
本発明の第１５の実施形態は第７実施形態において、認証用端末の電源が、小型薄型の二次電池と発電装置からなる点である。図は容易に類推できるので省略する。
【０１００】
二次電池と発電装置の実現手段は第９実施形態と同様である。
【０１０１】
本実施形態の構成による認証の動作は第７実施形態と同様である。
【０１０２】
認証用端末の形状は、第５実施形態の場合と同様である。
【０１０３】
本実施形態では、第７実施形態と第９実施形態の効果が共に得られる。
【０１０４】
（第１６実施形態）
本発明の第１６の実施形態は第８実施形態において、認証用端末の電源が、小型薄型の二次電池と発電装置からなる点である。図は容易に類推できるので省略する。
【０１０５】
二次電池と発電装置の実現手段は第９実施形態と同様である。
【０１０６】
本実施形態の構成による認証の動作は第８実施形態と同様である。
【０１０７】
認証用端末の形状は、第５実施形態の場合と同様である。
【０１０８】
本実施形態では、第８実施形態と第９実施形態の効果が共に得られる。
【０１０９】
なお、上記した第１〜１６実施形態では、バイオメトリクスセンサとして指紋センサを用いた指紋認証システムについて説明した。指紋認証システム以外では、本実施形態は声紋認証システムの場合にも適用することができる。この場合、小型薄型のマイクを声紋センサとして使用する。
【０１１０】
上記したように、本実施形態では、認証用端末が小型薄型のバイオメトリクスセンサを搭載し、なおかつフロッピーディスクドライブを入出力インターフェイスとしている点において従来の認証用端末と異なる。また、この認証用端末を用いた認証システムを提供することが、従来の認証システムとは異なる。
【０１１１】
【発明の効果】
本発明によれば、小型薄型のバイオメトリクスセンサを用いることと、計算機に標準装備されているドライブ、例えばフロッピーディスクドライブを入出力インターフェイスとして用いることで、携帯性と汎用性をともに備えた認証用端末を実現できる。また、この認証用端末を用いることで、認証システムの導入時における端末設置スペース、設置作業、設定作業が従来と比べて軽減できるという効果がある。
【図面の簡単な説明】
【図１】第１の実施形態の概略図である。
【図２】第１の実施形態における構成ブロック図である。
【図３】第１の実施形態における認証用端末の形状概観を示す図である。
【図４】第１の実施形態における認証の動作を説明するためのフローチャートである。
【図５】第２の実施形態における構成ブロック図である。
【図６】第２の実施形態における認証の動作を説明するためのフローチャートである。
【図７】第３の実施形態における構成ブロック図である。
【図８】第３の実施形態における認証の動作を説明するためのフローチャートである。
【図９】第４の実施形態における構成ブロック図である。
【図１０】第４の実施形態における認証の動作を説明するためのフローチャートである。
【図１１】第５の実施形態における構成ブロック図である。
【図１２】第５の実施形態における認証の動作を説明するためのフローチャートである。
【図１３】第５の実施形態における認証用端末の形状概観を示す図である。
【図１４】第６の実施形態における構成ブロック図である。
【図１５】第６の実施形態における認証の動作を説明するためのフローチャートである。
【図１６】第７の実施形態における構成ブロック図である。
【図１７】第７の実施形態における認証の動作を説明するためのフローチャートである。
【図１８】第８の実施形態における構成ブロック図である。
【図１９】第８の実施形態における認証の動作を説明するためのフローチャートである。
【図２０】第９の実施形態における構成ブロック図である。
【図２１】従来例の概略を説明するための図である。
【図２２】従来例の構成ブロック図である。
【図２３】従来例の概略（ＰＣカード型認証用端末）を説明するための図である。
【符号の説明】
１０，１１…バイオメトリクスセンサ
２０〜２６…信号変換装置
３０…磁気発生装置における計算機との接点
３５，３８…磁気発生装置
３６，３７…磁気読取装置
４０，４３…電源
４１…二次電池
４２…発電装置
５０〜５４…認証装置
６０〜６２…記憶装置
６５…一時記憶装置
７０，７１…セレクタ
８０，８１…Ｉ／Ｏデータポート
９０，９１…表示装置
９５…スイッチ
１００〜１０９…認証用端末
２００〜２０４…電子計算機
３００，３０１…従来の認証用端末
４００〜４０９…制御装置。
【図１】
0003694197.tif 000002
【図２】
0003694197.tif 000003
【図３】
0003694197.tif 000004
【図４】
0003694197.tif 000005
【図５】
0003694197.tif 000006
【図６】
0003694197.tif 000007
【図７】
0003694197.tif 000008
【図８】
0003694197.tif 000009
【図９】
0003694197.tif 000010
【図１０】
0003694197.tif 000011
【図１１】
0003694197.tif 000012
【図１２】
0003694197.tif 000013
【図１３】
0003694197.tif 000014
【図１４】
0003694197.tif 000015
【図１５】
0003694197.tif 000016
【図１６】
0003694197.tif 000017
【図１７】
0003694197.tif 000018
【図１８】
0003694197.tif 000019
【図１９】
0003694197.tif 000020
【図２０】
0003694197.tif 000021
【図２１】
0003694197.tif 000022
【図２２】
0003694197.tif 000023
【図２３】
0003694197.tif 000024